(57)【特許請求の範囲】
【請求項１】
被写体を撮像するカメラを備えるカメラ付き携帯端末装置であって、
光軸が筐体内部の基板の面に沿う光を出力する当該基板上に設置された発光ダイオードと、当該発光ダイオードが出力する光の光軸を前記被写体に向ける反射部材とがなす複数の対と、
前記反射部材と前記被写体との間に光を拡散する拡散シートと
を備え、
前記複数の対は、前記反射部材により前記被写体に向けられた前記光の光軸に平行な直線と前記基板とが交わる点を中心とした点対称、又は前記直線を含む面と前記基板とが交わる直線を軸とした線対称に配置されること
を特徴とするカメラ付き携帯端末装置。
【請求項２】
前記拡散シートは、
光を拡散させる面が前記被写体側に設けられたこと
を特徴とする請求項１に記載のカメラ付き携帯端末装置。
【請求項３】
前記拡散シートは、
光を拡散させる面が前記基板側に設けられたこと
を特徴とする請求項１に記載のカメラ付き携帯端末装置。
【請求項４】
前記発光ダイオードと前記反射部材との間に配光レンズを備えること
を特徴とする請求項１から３のいずれか１項に記載のカメラ付き携帯端末装置。
【発明の詳細な説明】
【技術分野】
【０００１】
この発明は、固体撮像素子を有する電子カメラを備えたカメラ付き携帯電話機等の撮像機器に関するものである。
【背景技術】
【０００２】
撮像機器の一例として、近年、カメラと携帯電話機との複合機能を備えたカメラ付き携帯電話機が製品化されている。そして、カメラ付き携帯電話機におけるカメラの使用に伴い、暗い場所でも問題なく被写体を撮影できる機能を具備して欲しいという要求がでてきた。
【０００３】
そこで、例えば特開２００１−３２０６２２号公報に示される如く、ストロボ装置を携帯電話機本体に備えたカメラ付き携帯電話機が提案されている。
【０００４】
このカメラ付き携帯電話機は、図４１に示される如く、電子回路基板１にバックライト２や液晶パネル３から構成される液晶ディスプレイ４が装着されると共に、液晶ディスプレイ４の上方に位置して、撮影レンズや固体撮像素子（ＣＣＤ）等からなる電子カメラ５とストロボ装置６とが横一列に並設された構造とされている。
【０００５】
また、ストロボ装置６はストロボ放電管７と反射傘８とを備え、カバーパネル９におけるストロボ装置６に対応する位置の窓部にはプロテクタ１０が取り付けられている。さらに、電子回路基板１の裏面には充電をおこなうメインコンデンサ１１が配置されている。
【発明の開示】
【発明が解決しようとする課題】
【０００６】
しかしながら、前記従来公報に開示のカメラ付き携帯電話機によれば、キセノン管等からなるストロボ放電管７やメインコンデンサ１１等の携帯電話機に組み込むには比較的大きな部品を使用する必要がある。また、携帯電話機本体を薄型化すればストロボ装置６内部が見えてしまうため、薄型化を図り難いという欠点があった。
【０００７】
さらに、携帯電話機に備えられたカメラによって静止画を撮影するだけでなく、動画の撮影要求もでてきたが、ストロボ装置６では常時点灯に対応出来ないという問題点があった。
【０００８】
本発明は、上記のような問題点を解消し、小型で常時点灯できるライトにより、薄型化が図れると共に、暗い場所でも問題なく被写体を撮影することができる携帯端末装置を提供することを目的とする。
【０００９】
この発明にかかる携帯端末装置は、
被写体を撮像するカメラを備えるカメラ付き携帯端末装置であって、
光軸が筐体内部の基板の面に沿う光を出力する当該基板上に設置された発光ダイオードと、当該発光ダイオードが出力する光の光軸を前記被写体に向ける反射部材とがなす複数の対と、
前記反射部材と前記被写体との間に光を拡散する拡散シートと
を備え、
前記複数の対は、前記反射部材により前記被写体に向けられた前記光の光軸に平行な直線と前記基板とが交わる点を中心とした点対称、又は前記直線を含む面と前記基板とが交わる直線を軸とした線対称に配置されること
を特徴とする。
【００１０】
この発明にかかる携帯端末装置は、上記の構成を備えることにより、小型で常時点灯できるライトにより、薄型化が図れると共に、暗い場所でも問題なく被写体を撮影することが可能となる。さらに、むらの少ない照明を得ることができ、かつ筐体内部の部品を見え難くすることができる。
【００１１】
以下、この発明をその実施の形態を示す図面に基づいて具体的に説明する。
【００１２】
＜実施の形態１＞
図１はこの発明の実施の形態１にかかる撮像機器の一例としてのカメラ付き携帯電話機２０を示している。カメラ付き携帯電話機２０は、縦長の箱状に構成された携帯電話機筐体２１を備え、携帯電話機筐体２１の正面の中央部上方に通信情報や画像を表示する矩形状の表示手段としての液晶ディスプレイ２２が配置されている。
【００１３】
また、ディスプレイ２２の上方には、被写体を撮像するための撮像装置としての電子カメラ２３と、被写体を照明するためのライト装置２４とが横一列に並設されている。これにより、ライト装置２４を発光させて撮影した際、被写体に不自然な影が発生するのを有効に防止している。なお、ライト装置２４の配置は電子カメラ２３の横に何ら限定されるものではない。
【００１４】
電子カメラ２３は、従来同様、撮像レンズやＣＣＤ等からなる固体撮像素子等から構成されている。ライト装置２４を保護する光透過性の（例えば透明材からなる）保護カバー２５は、液晶ディスプレイ２２を露出させる窓枠としてのウインドウに共用され、携帯電話機筐体２１の開口部に嵌合あるいは接着剤により固定されている。なお、ライト装置２４の保護カバー２５は、携帯電話機筐体２１に使用される意匠部品として利用してもよく、さらには、カメラ付き携帯電話機２０の使用者に対して視覚的効果を生ずる部品、例えば、着信表示ライトや、時計、意匠的な装飾部品等の保護カバー、あるいは、液晶ディスプレイ２２の保護カバーと一体の部品として形成してもよい。
【００１５】
さらに、携帯電話機筐体２１の中央部やその下方には、電話番号、文字、画像データの指定、選択等の各種操作を実行するための操作ボタン群２６が備えられており、携帯電話機筐体２１の上面には通信用のアンテナ２７が備えられている。
【００１６】
また、携帯電話機筐体２１の上部や下部の適宜位置には、通話用のスピーカやマイクが備えられている。
【００１７】
前記ライト装置２４は、図２に示される如く、電子回路基板３０上に接続配置されると共に操作ボタン群２６における適宜キー操作もしくは撮像画像の出力信号、照度を測定する照度センサの出力信号に応じた制御により発光操作される発光ダイオード３１（ＬＥＤ）と、発光ダイオード３１から出た光の光軸Ｌを撮像方向に屈曲させる鏡面処理が施された反射面を有する反射板等からなる反射部材３２と、反射部材３２で反射された光を撮像範囲に配光する配光レンズ３３とを備えている。この際、発光ダイオード３１としては、例えば、高輝度で発光し、その発光色が白色のものを使用すればよい。
【００１８】
また、発光ダイオード３１から出る光の光軸Ｌは電子回路基板３０に平行な方向となるように、発光ダイオード３１が配置され、反射部材３２での反射により、携帯電話機筐体２１に形成された窓開口部２１ａに向けて９０度屈曲して反射される構造とされている。この際、発光ダイオード３１は窓開口部２１ａより側方に退避した携帯電話機筐体２１の後方位置で、電子回路基板３０上に備えられている。
【００１９】
さらに、保護カバー２５内面側における窓開口部２１ａ対応部分には、内部を見え難くするためのダイヤカット等の加工が施された光拡散部２５ａが備えられている。なお、保護カバー２５は撮像範囲に光を配光する配光機能を持たせたフレネルレンズ、レンチキュラーレンズ等の加工を施す構造としてもよい。
【００２０】
本実施の形態は以上のように構成されており、照明用のライトとして、キー操作のオン・オフ操作により、または撮像画像の出力信号、照度を測定する照度センサの出力信号に応じた制御により発光操作される発光ダイオード３１を採用し、照明に至るまでの光路も反射部材３２により屈曲させる方式を採用しているため、ライト装置２４構成部品の小型化が図れる。従って、携帯電話機筐体２１の薄型化が有効に図れ、小型で常時点灯できるライトの採用により、静止画に限らず動画においても、暗い場所で問題なく被写体の撮影が可能となる。
【００２１】
また、発光ダイオード３１と配光レンズ３３との間に、光軸Ｌを屈曲させる反射部材３２を配置した構造であり、薄型化を図りながら発光ダイオード３１と配光レンズ３３、または保護カバー２５との距離が確保でき、発光ダイオード３１等の内部の部品を外部から有効に見え難くできるという利点もある。しかも、本実施の形態においては、保護カバー２５に光拡散部２５ａが備えられているため、部品点数の増加を抑えて、内部の部品を外部からより見え難くできるという利点がある。
【００２２】
さらに、照明用の光源として発光ダイオード３１を採用しているため、発光時における消費電力が少なく、また発熱量も少ない利点がある。従って、反射部材３２や配光レンズ３３等の樹脂部品を近傍に配置することが可能となり、この点からも携帯電話機筐体２１の薄型化、小型化が有効に図れる。
【００２３】
また、配光レンズ３３の配光機能により、発光ダイオード３１から出た光を効率よく被写体に照射することができる利点もある。
【００２４】
さらに、保護カバー２５を、カメラ付き携帯電話機２０の使用者に対して視覚的効果を生ずる部品として形成する場合や、視覚的効果を生ずる部品（液晶ディスプレイ２２、意匠的装飾部品等）の保護カバーとして形成する場合には、部品の兼用化が図れ、部品点数を減らすことができ、小型化、軽量化、薄型化、および、コストダウンを進めることができる。
【００２５】
なお、配光レンズ３３としては、発光ダイオード３１から放射される光が電子カメラ２３の撮像範囲内に集まるような配光機能を有していればよく、フレネルレンズ、シリンドリカルレンズ等、レンズの種類は問わない。
【００２６】
また、光拡散部２５ａを保護カバー２５の内面側に形成した構造を示しているが、保護カバー２５の外面側にも形成してもよく、さらには、図２に仮想線で示されるように、発光ダイオード３１と保護カバー２５との間の光の通過経路上に位置した反射部材３２や配光レンズ３３等のライト装置２４を構成する部品の表面に光拡散部２５ａを形成してもよく、同様の効果が得られる。また、ライト装置２４を構成する部品の複数面に光拡散部２５ａを形成する構造としてもよい。
【００２７】
＜実施の形態２＞
図３はこの発明の実施の形態２にかかる撮像機器の一例としてのカメラ付き携帯電話機２０のライト装置２４部分を示しており、前記実施の形態１と同様構成部分は同一符号を付し、その説明を省略する。
【００２８】
即ち、本実施の形態によれば、発光ダイオード３１に反射部材３２を直接、取り付け固定した構造とされている。また、反射部材３２と配光レンズ３３の両部品を発光ダイオード３１に直接、取り付け固定することも可能である。
【００２９】
従って、本実施の形態によれば、実施の形態１と同様の効果を奏するだけでなく、発光ダイオード３１と反射部材３２との相互の位置関係が予め固定されているため、カメラ付き携帯電話機の組付時における発光ダイオード３１と反射部材３２との相互間の位置ずれが有効に防止できる。
【００３０】
なお、発光ダイオード３１に対する反射部材３２の取り付けは、取付ブラケットまたはピン嵌合による固定や接着等、また、発光ダイオード３１と一体で構成される場合等の適宜方法を採用すればよい。
【００３１】
また、仮想線で示すように、反射部材３２と配光レンズ３３の両部品を発光ダイオード３１に直接、取り付け固定する場合も同様の方法を採用すればよい。この場合には、カメラ付き携帯電話機の組付時における三者相互間の位置ずれが有効に防止できる。
【００３２】
＜実施の形態３＞
図４はこの発明の実施の形態３にかかる撮像機器の一例としてのカメラ付き携帯電話機２０のライト装置２４部分を示しており、前記実施の形態１と同様構成部分は同一符号を付し、その説明を省略する。
【００３３】
即ち、本実施の形態によれば、発光ダイオード３１と反射部材３２との間に位置して、配光レンズ３３が備えられた構造とされている。従って、発光ダイオード３１から出た光は配光レンズ３３で集光されて反射部材３２に案内され、反射部材３２で反射されて撮像範囲に配光される構造とされている。
【００３４】
なお、図中におけるＲは発光ダイオード３１から出た光束を示している。
【００３５】
本実施の形態によれば、発光ダイオード３１と反射部材３２との間に配光レンズ３３を配置した構造であり、実施の形態１と同様の効果を奏するだけでなく、発光ダイオード３１から出る光の直後に配光レンズ３３を配置しているため、発光ダイオード３１の光を効率よく配光レンズ３３に案内でき、被写体照度を上げることができる。
【００３６】
また、配光レンズ３３によって一度、発光ダイオード３１から出た光を集光するため、反射部材３２の大きさを小型化でき、カメラ付き携帯電話機２０のより薄型化、小型化が図れる利点がある。
【００３７】
＜実施の形態４＞
図５はこの発明の実施の形態４にかかる撮像機器の一例としてのカメラ付き携帯電話機２０のライト装置２４部分を示しており、前記実施の形態１と同様構成部分は同一符号を付し、その説明を省略する。
【００３８】
即ち、本実施の形態によれば、実施の形態１における反射部材３２として、平面鏡からなるミラー面３５ａを備えたミラー体３５を採用した構造とされており、発光ダイオード３１の光軸Ｌはミラー面３５ａでの反射によって９０度屈曲される。
【００３９】
従って、本実施の形態によれば、実施の形態１と同様の効果を奏するだけでなく、ミラー体３５のミラー面３５ａで発光ダイオード３１から出た光を反射する構造であり、反射効率に優れ、被写体照度の明るいライト装置２４を提供できる。
【００４０】
なお、前記実施の形態３における反射部材３２として、このようなミラー体３５を採用しても同様の効果を奏する。
【００４１】
＜実施の形態５＞
図６はこの発明の実施の形態５にかかる撮像機器の一例としてのカメラ付き携帯電話機２０のライト装置２４部分を示しており、前記実施の形態１と同様構成部分は同一符号を付し、その説明を省略する。
【００４２】
即ち、本実施の形態によれば、実施の形態１における反射部材３２として、断面直角二等辺三角形状のプリズム体３７を採用した構造とされており、発光ダイオード３１の光軸Ｌはプリズム体３７の一側面で反射されて９０度屈曲される。
【００４３】
従って、本実施の形態によっても、実施の形態１と同様の効果を奏する。
【００４４】
なお、前記実施の形態３における反射部材３２として、このようなプリズム体３７を採用しても同様の効果を奏する。
【００４５】
＜実施の形態６＞
図７はこの発明の実施の形態６にかかる撮像機器の一例としてのカメラ付き携帯電話機２０のライト装置２４部分を示しており、前記実施の形態５と同様構成部分は同一符号を付し、その説明を省略する。
【００４６】
即ち、本実施の形態によれば、実施の形態５における配光レンズ３３が、プリズム体３７の一側面に接合一体化された構造とされている。
【００４７】
従って、本実施の形態によれば、実施の形態５と同様の効果を奏するだけでなく、配光レンズ３３とプリズム体３７との一体化により、部品点数の削減が図れると共によりコンパクト化が図れ、カメラ付き携帯電話機２０のより薄型化が図れる利点がある。
【００４８】
なお、配光レンズ３３とプリズム体３７の一体化は、一体加工により形成してもよく、配光レンズ３３とプリズム体３７とをそれぞれ別部品として加工した後、接合により一体化する構造としてもよい。
【００４９】
＜実施の形態７＞
図８はこの発明の実施の形態７にかかる撮像機器の一例としてのカメラ付き携帯電話機２０のライト装置２４部分を示しており、前記実施の形態３と同様構成部分は同一符号を付し、その説明を省略する。
【００５０】
即ち、本実施の形態によれば、実施の形態３における反射部材３２として、実施の形態５と同様のプリズム体３７を採用し、さらには、実施の形態６のように配光レンズ３３とプリズム体３７とを一体化した構造とされている。
【００５１】
従って、本実施の形態によれば、実施の形態３と同様の効果を奏するだけでなく、配光レンズ３３とプリズム体３７との一体化により、部品点数の削減が図れると共によりコンパクト化が図れ、カメラ付き携帯電話機２０のより薄型化が図れる利点がある。
【００５２】
なお、配光レンズ３３とプリズム体３７の一体化は、一体加工により形成してもよく、配光レンズ３３とプリズム体３７とをそれぞれ別部品として加工した後、接合により一体化する構造としてもよい。
【００５３】
＜実施の形態８＞
図９はこの発明の実施の形態８にかかる撮像機器の一例としてのカメラ付き携帯電話機２０のライト装置２４部分を示しており、前記実施の形態１と同様構成部分は同一符号を付し、その説明を省略する。
【００５４】
即ち、本実施の形態によれば、実施の形態１における反射部材３２に換えて、凹面鏡からなるミラー面３９ａを備えたミラー体３９を採用した構造とされている。そして、ミラー体３９は、発光ダイオード３１から出た光の光軸Ｌをミラー面３９ａで撮像方向に９０度屈曲させると共に、撮像範囲に配光する配光機能を具備した構造とされている。
【００５５】
従って、ミラー体３９は、ミラー面３９ａの凹面形状によって配光機能を発揮するレンズ効果を有しているため、実施の形態１における配光レンズ３３が不要な構造とされている。
【００５６】
本実施の形態によれば、実施の形態１と同様の効果を奏するだけでなく、ミラー体３９のミラー面３９ａで発光ダイオード３１から出た光を反射する構造であり、反射効率に優れ、被写体照度の明るいライト装置２４を提供できる。
【００５７】
また、ミラー体３９自体が配光機能を発揮するレンズ効果を有しているため、配光レンズ３３が不要となって部品点数の削減が図れ、カメラ付き携帯電話機２０のより薄型化、小型化が図れる利点もある。
【００５８】
なお、ミラー体３９におけるミラー面３９ａの形状は、発光ダイオード３１とミラー面３９ａとの相互間距離に応じて、所定の配光機能が発揮できるように適宜形状を採用すればよい。
【００５９】
また、実施の形態１または／および実施の形態２の配光レンズ３３と、ミラー体３９の配光効果を組み合わせた構造により、所定の配光機能が発揮できる構造としてもよい。この場合、配光レンズ３３やミラー面３９ａのそれぞれの屈曲率を小さくできるため、配光レンズ３３やミラー体３９をより薄く形成でき小型化が可能であり、また、より最適な配光設計が容易にできる利点がある。
【００６０】
＜実施の形態９＞
図１０はこの発明の実施の形態９にかかる撮像機器の一例としてのカメラ付き携帯電話機２０のライト装置２４部分を示しており、前記実施の形態１と同様構成部分は同一符号を付し、その説明を省略する。
【００６１】
即ち、本実施の形態によれば、実施の形態１における発光ダイオード３１と反射部材３２を対として、２組の対が対称に配置された構造とされている。
【００６２】
そして、本実施の形態の場合、両発光ダイオード３１からの光が内向きとなるように両発光ダイオード３１が電子回路基板３０上に対向して配置され、両発光ダイオード３１間に各光軸Ｌを撮像方向に屈曲させるべく両反射部材３２がそれぞれ配置されている。
【００６３】
また、各反射部材３２で反射された光を配光する配光レンズ３３もそれぞれ対応して配置された構造とされている。
【００６４】
従って、本実施の形態によれば、実施の形態１と同様の効果を奏するだけでなく、複数の発光ダイオード３１の採用によって、被写体照度を上げることができる利点もある。
【００６５】
また、電子回路基板３０に平行な光軸Ｌを有する発光ダイオード３１の光を反射部材３２で９０度屈曲させる場合、発光ダイオード３１の光軸Ｌに対して左右方向（基板３０に水平な方向）は対称に配光することは容易であるが、光軸Ｌに対して上下方向（基板３０に垂直な方向）の配光は、発光ダイオード３１の薄型化に伴い、発光ダイオード３１と反射部材３２の位置関係によっては、一部の光が電子回路基板３０に反射する等して、対称に配光することが難しい。そこで、本実施の形態のように、発光ダイオード３１と反射部材３２の対を発光ダイオード３１の光軸Ｌ方向に複数、並べて配置することにより、上記のような非対称の配光を対称にすることができ、むらの少ない照明を得ることができる。
【００６６】
なお、発光ダイオード３１と反射部材３２の対が２組備えられた構造を示しているが、３組以上であってもよく、本実施の形態における数に何ら限定されない。
【００６７】
＜実施の形態１０＞
図１１はこの発明の実施の形態１０にかかる撮像機器の一例としてのカメラ付き携帯電話機２０のライト装置２４部分を示しており、前記実施の形態９と同様構成部分は同一符号を付し、その説明を省略する。
【００６８】
即ち、実施の形態９においては、中央に両反射部材３２が配置され、両側に発光ダイオード３１がそれぞれ配置された構造とされているが、本実施の形態によれば、中央に両発光ダイオード３１が背中合わせに配置され、両側に反射部材３２がそれぞれ配置された構造とされている。そして、各反射部材３２で反射された光の光軸Ｌ位置に対応して、配光レンズ３３および保護カバー２５がそれぞれ配置された構造とされている。
【００６９】
従って、本実施の形態によっても、実施の形態９と同様の効果を奏する。
【００７０】
＜実施の形態１１＞
図１２はこの発明の実施の形態１１にかかる撮像機器の一例としてのカメラ付き携帯電話機２０のライト装置２４部分を示しており、前記実施の形態９と同様構成部分は同一符号を付し、その説明を省略する。
【００７１】
即ち、実施の形態９においては、各発光ダイオード３１の光学系毎に配光レンズ３３をそれぞれ配置された構造とされているが、本実施の形態によれば、各発光ダイオード３１の光学系をまとめて単一の配光レンズ３３で配光する構造とされている。
【００７２】
従って、本実施の形態によれば、実施の形態９と同様の効果を奏するだけでなく、部品点数の削減が図れる利点もある。
【００７３】
＜実施の形態１２＞
図１３はこの発明の実施の形態１２にかかる撮像機器の一例としてのカメラ付き携帯電話機２０のライト装置２４部分を示しており、前記実施の形態１と同様構成部分は同一符号を付し、その説明を省略する。
【００７４】
本実施の形態においては、配光レンズ３３がライト装置２４を保護する保護カバー２５に兼用された構造とされている。即ち、図１に示されるように、液晶ディスプレイ２２表面を保護する保護カバー２５における携帯電話機筐体２１の窓開口部２１ａ対応部分に、撮像範囲に光を配光する配光機能を備えたフレネルレンズ、レンチキュラーレンズ等からなる配光レンズ３３が形成された構造とされている。
【００７５】
この際、保護カバー２５は、実施の形態１と同様、視覚的効果を生ずる部品として形成したり、視覚的効果を生ずる部品（液晶ディスプレイ２２、意匠的装飾部品等）の保護カバーとして形成してもよい。
【００７６】
従って、本実施の形態によれば、実施の形態１と同様の効果を奏するだけでなく、配光レンズ３３と保護カバー２５とを兼用した構造であり、部品点数の削減が図れると共に、その削減によってより薄肉化、小型化が図れる利点がある。
【００７７】
＜実施の形態１３＞
図１４はこの発明の実施の形態１３にかかる撮像機器の一例としてのカメラ付き携帯電話機２０のライト装置２４部分を示しており、前記実施の形態１と同様構成部分は同一符号を付し、その説明を省略する。
【００７８】
即ち、本実施の形態によれば、保護カバー２５における窓開口部２１ａ対応部分が、配光レンズ３３と同様、撮像範囲に光を配光する配光機能を有するべく、フレネルレンズ、レンチキュラーレンズ等のレンズ形状に形成された構造とされている。
【００７９】
この際、保護カバー２５は、実施の形態１と同様、視覚的効果を生ずる部品として形成したり、視覚的効果を生ずる部品（液晶ディスプレイ２２等）の保護カバーとして形成してもよい。
【００８０】
従って、本実施の形態によれば、実施の形態１と同様の効果を奏するだけでなく、配光レンズ３３と保護カバー２５との配光効果が組み合わされるため、それぞれのレンズによる屈折率を小さくでき、レンズを薄く形成できて薄肉化、小型化が可能であり、また、より最適な配光設計が容易にできる利点がある。
【００８１】
なお、実施の形態２ないし実施の形態１１における保護カバー２５に対しても同様の構成が採用でき、同様の効果が得られる。
【００８２】
＜実施の形態１４＞
図１５はこの発明の実施の形態１４にかかる撮像機器の一例としてのカメラ付き携帯電話機２０のライト装置２４部分を示しており、前記実施の形態１と同様構成部分は同一符号を付し、その説明を省略する。
【００８３】
即ち、本実施の形態によれば、保護カバー２５と発光ダイオード３１との光の通過経路上に位置した配光レンズ３３と保護カバー２５との間に、光を拡散させるための透明板材や膜体等からなる光拡散シート４０が備えられた構造とされている。そして、光拡散シート４０の光の通過経路における被写体側の面に凹凸形状等が形成されて、光を拡散する拡散面４０ａとされ、光の通過経路における発光ダイオード３１側の面は平坦な平滑面４０ｂとされている。
【００８４】
従って、本実施の形態においても実施の形態１と同様の効果が得られると共に、保護カバー２５を通じて進入した外部の光は、光拡散シート４０の拡散面４０ａで比較的多くの光量が反射され、残りの光量が光拡散シート４０を透過する。そのため、外部の光が電子回路基板３０等で反射される光も減る。また、外部の光は電子回路基板３０等で反射され、携帯電話機２０の外部に反射する光は、拡散面４０ａで再度拡散されるため、携帯電話機筐体２１の外部から見て内部の発光ダイオード３１や電子回路基板３０等は見え難くなる。従って、発光ダイオード３１が消灯している場合には、発光ダイオード３１等の内部の部品を外部から有効に見え難くできる効果もある。
【００８５】
一方、発光ダイオード３１が点灯している場合、発光ダイオード３１から出た光の光拡散シート４０における平滑面４０ｂでの反射量は、拡散面４０ａでの反射量に比較して少ないため、被写体に対して良好な光量を供給することができる。
【００８６】
なお、本実施の形態においては、光拡散シート４０を保護カバー２５と配光レンズ３３の間に備えた構造とされているが、配光レンズ３３と反射部材３２との間に設けてもよい。
【００８７】
また、光拡散シート４０の拡散面４０ａは、表面に細かい凹凸を多数形成する場合、細かい凸レンズ形状を多数形成する場合、細かい直線溝を多数形成する場合、細かいフレネルレンズ状の同心円状の溝を多数形成する場合、細かいビーズ状の透明球体を表面に多数配置する場合等が考えられる。
【００８８】
図１６は光拡散シート４０による像高と照度比の関係を示しており、像高とは撮像される画像の中心から最も遠い距離の位置を像高１００％とし、中心からの距離の比で示される。例えば、図１７に示されるように画像のサイズの縦横を４ｃｍ×３ｃｍとした場合、中心Ｐは像高０％、角部Ｑは像高１００％、幅方向中間部の位置Ｒは像高８０％、高さ方向中間部の位置Ｓは像高６０％とされる。
【００８９】
また、照度比は（拡散面有りの照度）／（拡散面無しの照度）で示される。
【００９０】
従って、拡散面４０ａを光拡散シート４０の被写体側に設けた方が中心の照度は高く保てることが解る。
【００９１】
一方、拡散面４０ａを光源側である発光ダイオード３１側に設けた場合、中心の照度低下は大きいが、周辺の照度低下は比較的少ないことが解る。そして、光拡散シート４０の両側に拡散面４０ａを設けた場合もこの場合と同様の結果が得られた。
【００９２】
従って、ライト装置２４において、光拡散シート４０を備えることにより、中心に対する周辺の照度低下を有効に抑えることができ、この際、光源側である発光ダイオード３１側に拡散面４０ａを設けることによって、周辺の照度低下をより有効に抑えることができる利点がある。
【００９３】
そこで、上記では拡散面４０ａが光拡散シート４０の被写体側に備えられた構造を示しているが、仮想線で示される如く、光拡散シート４０の拡散面４０ａを光の通過経路における発光ダイオード３１側に設ける構造としてもよい。
【００９４】
この場合、外部の光は、進入時および反射時の双方において前述同様、拡散面４０ａで拡散されるため、発光ダイオード３１が消灯している場合には、発光ダイオード３１等の内部の部品を外部から有効に見え難くできる効果がある。
【００９５】
また、発光ダイオード３１からの光は、周辺の照度低下をより有効に抑えることができるため、被写体の撮影が良好に行える利点がある。
【００９６】
さらに、光拡散シート４０の被写体側および発光ダイオード３１の両側に拡散面４０ａを設けた場合も同様の利点が得られる。
【００９７】
従って、拡散面４０ａを光拡散シート４０のいずれの側に設けるか等は、配光レンズ３３の性能や仕様によって適宜選択すればよい。
【００９８】
また、このような構成の光拡散シート４０を前記実施の形態２ないし実施の形態１３においても同様に適用でき、同様の効果が得られる。
【００９９】
＜実施の形態１５＞
図１８はこの発明の実施の形態１５にかかる撮像機器の一例としてのカメラ付き携帯電話機２０のライト装置２４部分を示しており、前記実施の形態１４と同様構成部分は同一符号を付し、その説明を省略する。
【０１００】
即ち、本実施の形態によれば、光拡散シート４０による光の拡散に際して、光軸Ｌ近辺よりも周辺部の方が光の拡散角度が小さくなるように拡散面４０ａが形成された構造とされている。
【０１０１】
例えば、実施の形態１４では、光拡散シート４０の拡散面４０ａの表面形状が均一であったものが、本実施の形態では、光軸Ｌから周辺部に向かって凹凸形状を徐々に、または、段階的に変化させて形成される。また、本実施の形態では、凹凸形状を、細かい球体の配置、または、細かい凸レンズ形状の形成（高分子材料等による成形）により行うこともできる。その他の構成については、実施の形態１４と同様である。
【０１０２】
従って、本実施の形態によれば、実施の形態１４と同様の効果が得られるだけでなく、発光ダイオード３１から出た光は、光拡散シート４０に到達した後、光拡散シート４０周辺部の拡散面４０ａによる光の拡散よりも、中央部の光の拡散の方が拡散角度が大きくなっており、周辺部での光の拡散量は減少することから、撮像範囲外に光が拡散する量を少なくすることができ、撮像範囲内の光量を増加させ、被写体をより明るく照らすことが可能になる。
【０１０３】
なお、前記実施の形態１等における光拡散部２５ａにおいても、実施の形態１５における拡散面４０ａのように、光軸Ｌ近辺よりも周辺部の方が光の拡散角度が小さくなるように形成することによって同様の効果が得られる。
【０１０４】
＜実施の形態１６＞
図１９はこの発明の実施の形態１６にかかる撮像機器の一例としてのカメラ付き携帯電話機２０のライト装置２４部分を示しており、前記実施の形態１４と同様構成部分は同一符号を付し、その説明を省略する。
【０１０５】
即ち、本実施の形態によれば、実施の形態１４における光拡散シート４０に換えて、保護カバー２５と発光ダイオード３１との間の光の通過経路上に位置した保護カバー２５と配光レンズ３３との間に、ハーフミラーフィルムのように光透過率が透過方向により異なる光透過面４２ａを有するシート体４２が備えられた構造とされている。
【０１０６】
そして、本実施の形態においては、光透過面４２ａは被写体側から発光ダイオード３１側への光透過率が、発光ダイオード３１側から被写体側への光透過率よりも少ない構造とされている。
【０１０７】
従って、本実施の形態においても実施の形態１と同様の効果が得られると共に、外部から保護カバー２５を通じて進入した光は、シート体４２を通過する際に比較的多く減衰（減光）する。そのため、電子回路基板３０等で反射される光も減り、その反射光は携帯電話機２０の外部にほとんど出なくなる。従って、発光ダイオード３１が消灯している場合には、発光ダイオード３１等の内部の部品を外部から有効に見え難くできる効果もある。
【０１０８】
一方、発光ダイオード３１が点灯している場合、発光ダイオード３１から出た光は、シート体４２では比較的減衰しないため、被写体に対して良好な光量を供給することができる。
【０１０９】
なお、本実施の形態においては、シート体４２を保護カバー２５と配光レンズ３３の間に備えた構造とされているが、配光レンズ３３と反射部材３２との間に設けてもよい。また、上記光透過率の異なる面をライト装置２４の部品の一部に形成してもよい。
【０１１０】
＜実施の形態１７＞
図２０はこの発明の実施の形態１７にかかる撮像機器の一例としてのカメラ付き携帯電話機２０のライト装置２４部分を示しており、前記実施の形態１と同様構成部分は同一符号を付し、その説明を省略する。
【０１１１】
即ち、実施の形態１や実施の形態３によれば、発光ダイオード３１から保護カバー２５に至る光の通過経路において、反射部材３２の被写体側もしくは発光ダイオード３１側のいずれか一方に配光レンズ３３が配置された構造とされている。これに対して、本実施の形態によれば、反射部材３２の被写体側と発光ダイオード３１側の両方に配光レンズ３３が配置された構造とされている。
【０１１２】
従って、本実施の形態によれば、実施の形態１と同様の効果を奏するだけでなく、一対の配光レンズ３３による配光効果が組み合わされるため、それぞれのレンズによる屈折率を小さくでき、各レンズを薄く形成できて薄肉化、小型化が可能であり、また、より最適な配光設計が容易にできる利点がある。
【０１１３】
＜実施の形態１８＞
図２１はこの発明の実施の形態１８にかかる撮像機器の一例としてのカメラ付き携帯電話機２０のライト装置２４部分を示しており、前記実施の形態８と同様構成部分は同一符号を付し、その説明を省略する。
【０１１４】
即ち、本実施の形態によれば、実施の形態１等における配光レンズ３３が、発光ダイオード３１から保護カバー２５に至る光の通過経路において、ミラー体３９の被写体側と発光ダイオード３１側の両方にそれぞれは位置された構造とされている。
【０１１５】
従って、本実施の形態によれば、実施の形態８と同様の効果を奏するだけでなく、ミラー面３９ａによる配光効果と一対の配光レンズ３３による配光効果が組み合わされるため、それぞれのレンズによる屈折率を小さくでき、各レンズを薄く形成できて薄肉化、小型化が可能であり、また、より最適な配光設計が容易にできる利点がある。
【０１１６】
＜実施の形態１９＞
図２２はこの発明の実施の形態１９にかかる撮像機器の一例としてのカメラ付き携帯電話機２０のライト装置２４部分を示しており、前記実施の形態４と同様構成部分は同一符号を付し、その説明を省略する。
【０１１７】
即ち、本実施の形態によれば、実施の形態４における配光レンズ３３が、ミラー体３５の側面に接合一体化された構造とされている。
【０１１８】
従って、本実施の形態によれば、実施の形態４と同様の効果を奏するだけでなく、配光レンズ３３とミラー体３５との一体化により、部品点数の削減が図れると共によりコンパクト化が図れ、カメラ付き携帯電話機２０のより薄型化が図れる利点がある。
【０１１９】
なお、配光レンズ３３とミラー体３５の一体化は、一体加工により形成してもよく、配光レンズ３３とミラー体３５とをそれぞれ別部品として加工した後、接合により一体化する構造としてもよい。
【０１２０】
また、この実施の形態１９と同様、前記実施の形態１８における各配光レンズ３３をミラー体３９に接合一体化する構造としてもよく、この場合も同様の効果が得られる。
【０１２１】
＜実施の形態２０＞
図２３はこの発明の実施の形態２０にかかる撮像機器の一例としてのカメラ付き携帯電話機２０のライト装置２４部分を示しており、前記実施の形態８と同様構成部分は同一符号を付し、その説明を省略する。
【０１２２】
即ち、本実施の形態によれば、実施の形態８におけるミラー体３９を、発光ダイオード３１に直接、取り付け固定した構造とされている。
【０１２３】
従って、本実施の形態によれば、実施の形態８と同様の効果を奏するだけでなく、発光ダイオード３１とミラー体３９との相互の位置関係が予め固定されているため、カメラ付き携帯電話機２０の組立時における発光ダイオード３１とミラー体３９との相互間の位置ずれが有効に防止できる。
【０１２４】
なお、発光ダイオード３１に対するミラー体３９の取り付けは、取付ブラケットまたはピン嵌合による固定や接着等、また、発光ダイオード３１と一体で構成される場合等の適宜方法を採用すればよい。
【０１２５】
＜実施の形態２１＞
図２４はこの発明の実施の形態２１にかかる撮像機器の一例としてのカメラ付き携帯電話機２０のライト装置２４部分を示しており、前記実施の形態８と同様構成部分は同一符号を付し、その説明を省略する。
【０１２６】
即ち、本実施の形態によれば、実施の形態８における発光ダイオード３１とミラー体３９を対として、２組の対が対称に配置された構造とされている。
【０１２７】
そして、本実施の形態の場合、両発光ダイオード３１からの光が内向きとなるように両発光ダイオード３１が電子回路基板３０上に対向して配置され、両発光ダイオード３１間に各光軸Ｌを撮像方向に屈曲させるべく両ミラー体３９がそれぞれ配置されている。
【０１２８】
従って、本実施の形態によれば、実施の形態８と同様の効果を奏するだけでなく、複数の発光ダイオード３１の採用によって、被写体照度をあげることができる利点もある。
【０１２９】
また、発光ダイオード３１とミラー体３９の対を発光ダイオード３１の光軸Ｌ方向に複数、並べて配置することにより、むらの少ない照明を得ることができる。
【０１３０】
さらに、発光ダイオード３１とミラー体３９の対が２組備えられた構造を示しているが、３組以上であってもよく、本実施の形態における数に何ら限定されない。また、実施の形態１０や実施の形態１１に示されるような配置構造であってもよく、同様の効果が得られる。さらにまた、実施の形態２と同様、発光ダイオード３１にミラー体３９を直接、取り付け固定する構造としてもよい。
【０１３１】
なお、実施の形態３ないし実施の形態７、実施の形態９ないし実施の形態１９、および実施の形態２１において、実施の形態２と同様、発光ダイオード３１に、反射部材３２、ミラー体３５、３９やプリズム体３７または／および配光レンズ３３を直接取り付け固定する構造としてもよい。この場合、実施の形態２と同様、相互間の位置ずれが有効に防止できる。
【０１３２】
また、実施の形態２ないし実施の形態８および実施の形態１２ないし実施の形態１９において、実施の形態９ないし実施の形態１１と同様、発光ダイオード３１と反射部材３２、ミラー体３５、プリズム体３７もしくはミラー体３９等とを対として、その複数対が備えられた構造としてもよく、実施の形態９ないし実施の形態１１と同様の効果が得られる。この場合においても、実施の形態２と同様、発光ダイオード３１に、反射部材３２、ミラー体３５、３９やプリズム体３７または／および配光レンズ３３を直接、取り付け固定する構造としてもよい。
【０１３３】
さらに、電子カメラ２３とライト装置２４を液晶ディスプレイ２２と同じ面に設けた構造を示しているが、液晶ディスプレイ２２の裏面側に電子カメラ２３を設ける構造としてもよい。
【０１３４】
＜実施の形態２２＞
上記した実施の形態１４では、光拡散シート４０の拡散面４０ａの表面に細かいビーズ状の透明球体を多数配置する場合があると説明した。また、上記した実施の形態１４では、光拡散シート４０の拡散面４０ａを被写体側に向けた場合と、光源側に向けた場合とにおける像高と照度比との関係について説明した。
【０１３５】
以下に説明する２２の実施の形態では、光拡散シート４０の構造について詳しく説明し、拡散面４０ａを向ける方向についても詳しく説明する。
【０１３６】
図２５、図２６、図２７、図２８は、本発明の実施の形態２２の光拡散シート４０の構成を示す断面図である。なお、本実施の形態２２のカメラ付き携帯電話装置２０の全体の構成も、他の実施の形態と同様に図１を用いる。
【０１３７】
図２５に示した本実施の形態２２の光拡散シート４０は、拡散面４０ａと平滑面４０ｂとから構成され、拡散面４０ａは、ビーズ状の透明球体４０ｃとバインダー４０ｄとから構成される。また、ビーズ状の透明球体４０ｃの一部が拡散面４０ａの表面から露出しているので、拡散面４０ａの表面は凹凸に形成される。拡散面４０ａの光の拡散作用は、空気とビーズ状の透明球体４０ｃとの間の屈折率差が大きいことにより生じる。したがって、ビーズ状の透明球体４０ｃが拡散面４０ａから大きく露出し、表面の凹凸の程度が大きくなると、ビーズ状の透明球体４０ｃと空気とが接する面積が大きくなるので光の拡散作用が大きくなり、発光ダイオード３１を視認しにくくなる。逆に、凹凸の程度が小さく、表面がより平滑に近い状態になるとビーズ状の透明球体４０ｃと空気とが接する面積が小さくなるので、光の拡散作用は小さくなり、発光ダイオード３１を視認し易くなる。
【０１３８】
ビーズ状の透明球体４０ｃには、ガラス、アクリル系樹脂、スチレン系樹脂、シリコン系樹脂等、例えば、アクリル、アクリロニトリル、ポリウレタン、ポリ塩化ビニル、ポリスチレン、ポリアクリロニトリル、ポリアミド、シリコンゴム等が用いられる。また、その形状としては、球体以外にも立方体状、針状、棒状、紡錘形状、板状、鱗片状、繊維状のものも考えられるが、光の拡散作用を考慮すると球状のビーズがより好ましく、真球状または真球状に近い球状のものが最も好ましい。形状を球状とした場合には、球状の各粒子がそれぞれ微少レンズとして作用することから、光の拡散作用が大きくなるからである。さらに、光の拡散作用と、光源である発光ダイオードを視認できにくくする効果とを両立するためには、平均粒径が１μｍから５０μｍのものが好ましい。
【０１３９】
バインダー４０ｄには、アクリル系樹脂、ポリウレタン、ポリエステル、フッ素系樹脂、シリコーン系樹脂、ポリアミドイミド、エポキシ樹脂等が用いられる。バインダー４０ｄの厚さは、ビーズ状の透明球体４０ｃの粒径とも関係するが、１μｍから３０μｍのものが好ましい。
【０１４０】
また、光拡散シート４０の基材である平滑面４０ｂは、アクリル系樹脂、スチレン系樹脂、ポリカーボネート、塩化ビニル系樹脂等を用いる。平滑面４０ｂの厚さは特に限定するものではないが、光拡散板４０を作る際の作業性等を考慮すると５０μｍから２００μｍ程度が望ましい。
【０１４１】
図１６は、実施の形態１４で説明したように、光拡散シート４０の拡散面４０ａが被写体側の場合と、光拡散面４０ａが光源（発光ダイオード３１）側の場合の、像高（％：横軸）と照度比（％：縦軸）の関係を示す図である。図１６の実線は、拡散面が被写体側の場合で、発光ダイオード３１の出射光が光拡散シート４０を透過する透過率は、中央近辺ではあまり低下しないが、周辺部では極端に低下することを示している。逆に、図１６の破線は、拡散面が光源側の場合で、発光ダイオード３１の出射光が光拡散シート４０を透過する透過率は、中央近辺では比較的低下するが、周辺部でも中央部と比較して極端には低下しないことを示している。
【０１４２】
ところで、動画像を撮影するためには、カメラを長時間動作させる必要があり、そのため、カメラを動作させるために必要な電力も大きくなる。ところが、携帯電話では薄型化、小型化の要望があるため、携帯電話に搭載されるバッテリも薄型、小型のものが要求され、また、可能な限りバッテリの数も少なくするよう要求されるので、カメラ専用のバッテリを用いることは難しく、バッテリを他の電子部品用のバッテリと共用することが多い。しかし、この共用バッテリにも当然、薄型化、小型化が要求されるので、バッテリの容量を大きくすることは難しい。
【０１４３】
従って、カメラの動作による消費電力を抑制するために、消費電力が小さいカメラを用いる場合がある。しかし、消費電力が小さいカメラは、受光感度が低くなる傾向にある。一方、発光ダイオードを用いたライトの光量は、キセノン管等を用いたライトの光量と比較して非常に小さくなる。従って、受光感度が低いカメラと、光量の小さい発光ダイオードとを用いて画像の撮像を行う場合、絶対的な光量を確保するために、光拡散シート４０の拡散面４０ａを被写体側に向けて発光ダイオード３１の前面に配置し、ライト装置２４からの出射光が図１６の実線に示すような照度比の分布のもとで被写体の撮影を行うと良好な画像を得ることができる。
【０１４４】
このような、消費電力が小さいカメラは、静止画像より動画像の撮影に適している。
【０１４５】
一方、カメラの中央部の光量と周辺部の光量との比が大きくならないようにするというカメラの性能向上の要求を満足するためには、カメラに取付けられるレンズの枚数を多くする等の設計を行わなければならない。しかしながら、上記のように薄型化が要求される携帯電話において、レンズを含めたカメラ全体を大きくすることはできない。このような周辺部の光量が大きく低下するカメラを用い、光拡散シート４０の拡散面４０ａを被写体側に向けて発光ダイオード３１の前面に配置し、ライト装置２４からの出射光が図１６の実線に示すような照度比の分布のもとで被写体の撮影を行うと、画像の周辺部は中央部と比較して非常に暗くなってしまう。このような現象を避けるために、受光感度の高いカメラを用いる場合がある。受光感度の高いカメラは、小さな光量であっても撮像を行うことができるので、絶対的な光量より照度比の分布が重要となる。従って、このようなカメラを用いる場合は、光拡散シート４０の拡散面４０ａを光源側に向けて発光ダイオード３１の前面に配置し、ライト装置２４からの出射光が図１６の破線に示すような照度比の分布のもとで被写体の撮影を行うと良好な画像を得ることができる。ところで、受光感度が高いカメラは、消費電力が大きくなる傾向にある。したがって、受光感度が高いカメラは、動画像より静止画像の撮影に適している。
【０１４６】
このように、光拡散シート４０の拡散面４０ａを被写体側に向けるか、光源側に向けるかは、実施の形態１４で説明したような配光レンズの性能や仕様だけではなく、カメラの仕様によって選択してもよい。もちろん、カメラの仕様や性能によっては、配光レンズ３３を省略できる。
【０１４７】
図２６に示した本実施の形態２２の光拡散シート４０は、拡散面４０ａと平滑面４０ｂとから構成され、拡散面４０ａは、中空のビーズ状の透明球体４０ｅとバインダー４０ｄとから構成される。図２５と相違する点は、拡散面４０ａを構成するビーズ状の透明球体４０ｅが内部に空間部を有し、中空となっている点である。図２５のビーズ状の透明球体４０ｃは、拡散面４０ａの表面だけで空気と接しており、光の拡散作用が生じるのが拡散面４０ａの表面だけである。しかし、図２６に示した中空のビーズ状の透明球体４０ｅを用いると、中空のビーズ状の透明球体４０ｅの内壁と球体内部の空間部との間においても光の屈折が生じ、光が拡散することから、図２５に示した中実のビーズ状の透明球体４０ｃより光の拡散作用が大きくなるので、図２５に示した拡散面４０ａより光の拡散作用が大きくなる。
【０１４８】
さらに、図２７に示した本実施の形態２２の光拡散シート４０は、拡散面４０ａと平滑面４０ｂとから構成され、拡散面４０ａは、ビーズ状の透明球体４０ｆとバインダー４０ｄとから構成される。図２５と相違する点は、ビーズ状の透明球体４０ｆの間にあるバインダー４０ｄの表面を波状の凹凸に形成した点である。このように、バインダー４０ｄの表面を波状の凹凸に形成すると、バインダー４０ｄも光の拡散作用を持つことになり、拡散面４０ａにおける光の拡散作用がより大きくなる。
【０１４９】
また、図２８に示した本実施の形態２２の光拡散シート４０は、拡散面４０ａと平滑面４０ｂとから構成され、拡散面４０ａはビーズ状の透明球体４０ｇとバインダー４０ｄと気泡４０ｈとから構成される。図２５と相違する点は、気泡４０ｈが拡散面４０ａに混入されている点である。ビーズ状の透明球体４０ｇとバインダー４０ｄとの間の屈折率差よりも、気泡４０ｈとバインダー４０ｄとの間の屈折率差が大きいので、気泡４０ｈが拡散面４０ａに混入されると、気泡４０ｈが無い場合よりも光の拡散作用が大きくなる。また、光の透過、屈折による拡散作用ではなく光の反射による拡散作用を強めるために、気泡４０ｈではなく顔料を入れてもよい。顔料には、例えば、酸化チタン、酸化亜鉛、炭酸鉛、硫化バリウム、炭酸カルシウム等が用いられる。また、ビーズ状の透明球体４０ｇに顔料を入れてもよい。顔料を混入すると、光の透過率は下がるが、発光ダイオードを視認しにくくなる効果は高くなる。
【０１５０】
なお、上記では、ビーズ状の透明球体４０ｃ、４０ｅ、４０ｆ、４０ｇが拡散面４０ａから露出し、拡散面４０ａの表面が凹凸に形成される場合について説明したが、実施の形態１４で説明したように、拡散面４０ａの表面を凹凸に形成するのはビーズ状の透明球体に限られるものではなく、バインダー４０ｄにより拡散面４０ａの表面を凹凸に形成してもよい。
【０１５１】
＜実施の形態２３＞
上記した実施の形態２２では、実施の形態１４における光拡散シート４０の構造と、拡散面４０ａを向ける方向とのそれぞれについて詳しく説明した。
【０１５２】
以下に説明する実施の形態２３では、実施の形態１４とは異なる光拡散シートの構造について説明する。
【０１５３】
図２９は、本実施の形態２３のライト装置２４の構成を示す概略説明図である。なお、本実施の形態２３のカメラ付き携帯電話装置２０の全体の構成も、他の実施の形態と同様に図１を用いる。
【０１５４】
実施の形態２３と実施の形態１４の相違点は、本実施の形態の光拡散シート４５の光拡散面４５ａの表面が、凹凸でなく平滑である点である。すなわち、図３０に示すように、光拡散シート４５は拡散面４５ａと平滑面４５ｂとから構成され、拡散面４５ａは、気泡または顔料４５ｃとバインダー４５ｄとから構成される。上記実施の形態２２では、拡散面４０ａの表面は凹凸に形成されていたが、本実施の形態では、拡散面４５ａの内部に気泡または顔料４５ｃを混入し、拡散面の表面を平滑にしたものである。なお、他の構成については、実施の形態１４と同様である。なお、気泡または顔料４５ｃではなく、中空のビーズ状の透明球体を拡散面４５ａに混入してもよい。
【０１５５】
このように、拡散４５ａに気泡または顔料４５ｃを混入し、発光ダイオード３１を視認しにくくしつつ、かつ光の透過性を確保できれば、拡散面４５ａの表面は凹凸でなく平滑であってもよい。
【０１５６】
＜実施の形態２４＞
上記した実施の形態２３では、実施の形態１４とは異なる光拡散シートの構造について説明した。
【０１５７】
以下に説明する実施の形態２４では、さらに実施の形態２３とは異なる光拡散板の構造について説明する。
【０１５８】
図３１は、本発明の実施の形態２４のライト装置２４の構成を示す断面図である。なお、本実施の形態２４のカメラ付き携帯電話装置２０の全体の構成も、他の実施の形態と同様に図１を用いる。
【０１５９】
実施の形態２４と実施の形態２３の相違点は、本実施の形態の光拡散シート４６が基材のみで構成されているである点である。すなわち、図３２に示すように、光拡散シート４６の表面を凹凸形状とし光の拡散作用を確保できれば、実施の形態２３のように、光拡散シートを拡散面４５ａと平滑面４５ｂとの２層で構成する必要がない。また、図３３に示すように、基材４６ｂの内部に気泡または顔料４６ａを混入し、発光ダイオード３１を視認しにくくしてもよい。さらに、気泡または顔料４６ａではなく、中空のビーズ状の透明球体を光拡散シート４６に混入してもよい。また、図３３に示すように、光拡散シート４６に気泡や顔料４６ａ、中空のビーズ状の透明球体を混入し、光の拡散作用を確保できれば、光拡散シート４６の表面は平滑であってもよい。
【０１６０】
このように、光拡散シート４６の表面を凹凸形状とし光の拡散作用を確保できる場合、または、光拡散シート４６の内部に気泡または顔料４６ａを混入し、発光ダイオード３１を視認しにくくしつつ、かつ光の透過性を確保できれば、光拡散シート４６を２層で構成する必要がなく、構造の簡素化が図れる。
【０１６１】
なお、上記光拡散シート４０、４５、４６の構造を保護カバー２５に採用する構造としてもよい。この場合、保護カバー２５が光拡散シート４０、４５、４６の機能を発揮するため、兼用化が図れ、光拡散シート４０、４５、４６を設けなくてもよい。
【０１６２】
＜実施の形態２５＞
図３４はこの発明の実施の形態２５にかかる撮像機器の一例としてのカメラ付き携帯電話機２０のライト装置２４部分を示しており、前記実施の形態１と同様構成部分は同一符号を付し、その説明を省略する。
【０１６３】
即ち、本実施の形態によれば、実施の形態１において反射部材３２が発光ダイオード３１から出る光の光軸Ｌを９０度屈曲して反射される構造に対して、９０度以外の角度で屈曲して反射する構造とされている。
【０１６４】
図１のカメラ付き携帯電話機２０は、縦長の箱状に構成された携帯電話機筐体２１を備えているが、図１に示すように、必ず電子カメラ２３とライト装置２４が近くに配置されているわけではなく、電子カメラ２３とライト装置２４が離れて配置される場合がある。
【０１６５】
また、図３５の携帯電話機２０は、２つの箱状に構成された携帯電話筐体２８ａと２８ｂの中央にヒンジ２８ｃを有し、２つに折りたたむことの出来るよう構成された携帯電話機筐体２８を備えている。
【０１６６】
この構造で、開いた状態は、必ずしも２つの筐体２８ａと２８ｂが水平にはならず、１０度程度のある角度を有している。
【０１６７】
この構造の場合、電子カメラ２３は、携帯電話機筐体２８ａ、２８ｂ、ヒンジ２８ｃのどの部分にも配置することが出来るが、ライト装置２４は必ずしも電子カメラ２３と同じ筐体２８ａ、２８ｂに配置するとは限らない。
【０１６８】
これらの場合、携帯電話機２０の筐体面に対して水平に配置された電子回路基板３０に垂直に光を屈曲した場合、電子カメラ２３の撮像範囲以外を照明することとなる。
【０１６９】
このため、反射部材３２で発光ダイオード３１から出る光の光軸Ｌを電子カメラ２３の撮像範囲に向けて屈曲して反射する構造とする。
【０１７０】
配光レンズ３３の光軸は反射屈曲された光軸Ｌと一致するように配置されているが、電子カメラ２３の撮像範囲を照明できれば、特に光軸を合わせる必要はなく、電子回路基板３０に配光レンズ３３の光軸を垂直に合わせても構わない。
【０１７１】
図３６はプリズム体３７で発光ダイオード３１から出る光の光軸Ｌを９０度以外の角度で屈曲して反射する構造を示している。
【０１７２】
配光レンズ３３は、プリズム体３７と一体化され、図３４と同様に反射屈曲された光の光軸Ｌと合わせるように配置されているが、電子カメラ２３の撮像範囲を照明できれば、配光レンズ３３の姿勢、パッケージ３１ｂ（図３８を参照）からの分離など、他の構造を採用しても構わない。
【０１７３】
＜実施の形態２６＞
図３７はこの発明の実施の形態２６にかかる撮像機器の一例としてのカメラ付き携帯電話機２０のライト装置２４部分を示しており、前記実施の形態１と同様の構成部分は同一の符号を付し、その説明を省略する。
【０１７４】
即ち、本実施の形態によれば、実施の形態１において保護カバー２５内面側は、内部を見え難くするためのダイヤカット等の加工が施された光拡散部２５ａが備えられているが、その光拡散部２５ａを備えていない構造とされている。
【０１７５】
発光ダイオード３１は窓開口部２１ａより側方に退避した携帯電話機筐体２１の後方位置で、電子回路基板３０上に備えられることができる。
【０１７６】
この場合、発光ダイオード３１は携帯電話機筐体２１の下に配置されるため、発光ダイオード３１に外光が直接当たることは無く、発光ダイオード３１の周辺は比較的暗い環境となっている。
【０１７７】
また、携帯電話機２０のライト装置２４に使用される発光ダイオード３１は、薄型の物を採用することが可能であり、高さ１ｍｍ程度の物を使用することができる。
【０１７８】
この場合、反射部材３２を介して外部から見える発光ダイオード３１の部分は大変小さい範囲となる。
【０１７９】
発光ダイオード３１の周辺が暗いことと、外部から見える範囲が大変小さいことより、光拡散部２５ａにより内部を隠さなくとも、外観を大きく損なわない場合がある。
【０１８０】
この場合は、保護カバー２５の光拡散部２５ａを削除し、光拡散部２５ａでの光の反射などによる光の損失を低減し、より明るいライト装置２４を得ることができる。
【０１８１】
本実施の形態では、発光ダイオード３１は携帯電話機筐体２１の下側に配置されているが、図３７に示されるように、保護カバー２５の表面に印刷、シールなどで遮光部２５ｂを設け、内部を見え難くした部分の下側に配置することも可能である。
【０１８２】
＜実施の形態２７＞
図３８はこの発明の実施の形態２７にかかる撮像機器の一例としてのカメラ付き携帯電話機２０のライト装置２４部分を示しており、前記実施の形態２と同様構成部分は同一符号を付し、その説明を省略する。
【０１８３】
即ち、本実施の形態によれば、実施の形態２において反射部材３２は発光ダイオード３１に取り付け固定された構造となっており、発光ダイオード３１と一体で構成される場合も示されているが、その一体構造の一例に関して詳しく説明する。
【０１８４】
上記一体構造の一例としては、反射部材３２を発光ダイオード３１のパッケージ３１ｂ内に配置する構造がある。図３８の発光素子３１ａは発光ダイオード３１のパッケージ３１ｂ内に配置され、周辺に光を発する。その光をパッケージ３１ｂ内部で反射し、反射部材３２にある開口部３１ｃに集光させる。
【０１８５】
この構造の場合、反射部材３２と発光ダイオード３１の位置決めが、発光ダイオード３１のパッケージ３１ｂの部品精度で決められるため、精度良く行うことができ、正確に所定の方向に光を屈曲して反射することができる。
【０１８６】
また、反射部材３２をパッケージ３１ｂに開口部３１ｃの近くに配置することができるため、光が反射部材３２以外に行く量が少なく、効率よく光を撮像範囲内に送ることができる。
【０１８７】
このため、電子カメラ２３の撮像範囲を容易により明るく照明することが可能となる。
【０１８８】
また、反射部材３２と発光ダイオード３１を１部品で構成できるため、小型化ができ、携帯電話２０のより小型化が図れる利点がある。
【０１８９】
図３９は、図３８の配光レンズ３３を発光ダイオード３１のパッケージ３１ｂに固定し、一体化した構造とされている。
【０１９０】
この場合は、カメラ付き携帯電話機２０の組付時における三者相互間の位置ずれが有効に防止できる。
【０１９１】
また、反射部材３２と発光ダイオード３１、配光レンズ３３を１部品で構成できるため、小型化ができ、携帯電話機２０のより小型化が図れる利点がある。
【０１９２】
＜実施の形態２８＞
図４０はこの発明の実施の形態２８にかかる撮像機器の一例としてのカメラ付き携帯電話機２０のライト装置２４部分を示しており、前記実施の形態１と同様構成部分は同一符号を付し、その説明を省略する。
【０１９３】
即ち、本実施の形態によれば、実施の形態１において電子回路基板３０と示されているが、その電子回路基板３０に関して詳しく説明する。
【０１９４】
携帯電話機２０の内部の電子回路基板３０としては、携帯電話機自体の電子回路基板３０ａ、ライト装置２４用の電子回路基板３０ｂ、カメラなどのその他の部分の電子回路基板が考えられる。
【０１９５】
ライト装置２４が携帯電話機自体の電子回路基板３０ａ上に形成されている場合は最も小型にすることができ、部品点数も少なくできる。
【０１９６】
しかし、光学部品である反射部材３２を扱うため、他の電子部品が実装されている携帯電話機自体の電子回路基板３０ａ上にライト装置２４を組立てることが難しい場合がある。
【０１９７】
図４０は、ライト装置２４の電子回路基板３０として、ライト装置２４用の電子回路基板３０ｂを採用した場合を示している。ライト装置２４用の電子回路基板３０ｂ上に発光ダイオード３１と反射部材３２、配光レンズ３３を組立て、ライト装置２４の半完成品２４ａとして携帯電話機自体の電子回路基板３０ａ上に実装する構造とされている。
【０１９８】
携帯電話自体の電子回路基板３０ａとライト装置２４用の電子回路基板３０ｂの電気的接続は、直接、半田接続する方法もあれば、コネクタを用いるなどの接続方法が考えられる。
【０１９９】
これにより、ライト装置２４の半完成品２４ａの組立ては容易となり、また、組立て時、また、製品となった後でライト装置２４の不具合が発生した場合、ライト装置２４の交換が容易になる。
【０２００】
この発明は詳細に説明されたが、上記した説明は、すべての局面において、例示であって、この発明がそれに限定されるものではない。例示されていない無数の変形例が、この発明の範囲から外れることなく想定され得るものと解される。
【図面の簡単な説明】
【０２０１】
【図１】この発明にかかるカメラ付き携帯電話機の外観正面図である。
【図２】この発明の実施の形態１にかかるライト装置の概略説明図である。
【図３】この発明の実施の形態２にかかるライト装置の概略説明図である。
【図４】この発明の実施の形態３にかかるライト装置の概略説明図である。
【図５】この発明の実施の形態４にかかるライト装置の概略説明図である。
【図６】この発明の実施の形態５にかかるライト装置の概略説明図である。
【図７】この発明の実施の形態６にかかるライト装置の概略説明図である。
【図８】この発明の実施の形態７にかかるライト装置の概略説明図である。
【図９】この発明の実施の形態８にかかるライト装置の概略説明図である。
【図１０】この発明の実施の形態９にかかるライト装置の概略説明図である。
【図１１】この発明の実施の形態１０にかかるライト装置の概略説明図である。
【図１２】この発明の実施の形態１１にかかるライト装置の概略説明図である。
【図１３】この発明の実施の形態１２にかかるライト装置の概略説明図である。
【図１４】この発明の実施の形態１３にかかるライト装置の概略説明図である。
【図１５】この発明の実施の形態１４にかかるライト装置の概略説明図である。
【図１６】像高と照度比との関係を示す図である。
【図１７】像高説明図である。
【図１８】この発明の実施の形態１５にかかるライト装置の概略説明図である。
【図１９】この発明の実施の形態１６にかかるライト装置の概略説明図である。
【図２０】この発明の実施の形態１７にかかるライト装置の概略説明図である。
【図２１】この発明の実施の形態１８にかかるライト装置の概略説明図である。
【図２２】この発明の実施の形態１９にかかるライト装置の概略説明図である。
【図２３】この発明の実施の形態２０にかかるライト装置の概略説明図である。
【図２４】この発明の実施の形態２１にかかるライト装置の概略説明図である。
【図２５】この発明の実施の形態２２にかかる光拡散シートの拡大断面図である。
【図２６】この発明の実施の形態２２にかかる光拡散シートの変形例の拡大断面図である。
【図２７】この発明の実施の形態２２にかかる光拡散シートの変形例の拡大断面図である。
【図２８】この発明の実施の形態２２にかかる光拡散シートの変形例の拡大断面図である。
【図２９】この発明の実施の形態２３にかかるライト装置の概略説明図である。
【図３０】この発明の実施の形態２３にかかる光拡散シートの拡大断面図である。
【図３１】この発明の実施の形態２４にかかるライト装置の概略説明図である。
【図３２】この発明の実施の形態２４にかかる光拡散シートの拡大断面図である。
【図３３】この発明の実施の形態２４にかかる光拡散シートの変形例の拡大断面図である。
【図３４】この発明の実施の形態２５にかかるライト装置の概略説明図である。
【図３５】この発明の実施の形態２５にかかるカメラ付き携帯電話機の外観斜視図である。
【図３６】この発明の実施の形態２５にかかるライト装置の変形例の概略説明図である。
【図３７】この発明の実施の形態２６にかかるライト装置の概略説明図である。
【図３８】この発明の実施の形態２７にかかるライト装置の概略説明図である。
【図３９】この発明の実施の形態２７にかかるライト装置の変形例の概略説明図である。
【図４０】この発明の実施の形態２８にかかるライト装置の概略説明図である。
【図４１】従来例における概略構成を示す分解斜視図である。
【符号の説明】
【０２０２】
２０  カメラ付き携帯電話機、２１  携帯電話機筐体、２２  液晶ディスプレイ、２３  電子カメラ、２４  ライト装置、２５  保護カバー、２５ａ  光拡散部、２６  操作ボタン群、２７  アンテナ、３１  発光ダイオード、３２  反射部材、３３  配光レンズ、３５  ミラー体、３５ａ  ミラー面、３７  プリズム体、３９  ミラー体、３９ａ  ミラー面、４０  光拡散シート、４０ａ  拡散面、４０ｂ  平滑面、４０ｃ、４０ｇ  透明球体、４０ｄ  バインダー、４０ｅ  中空の透明球体、４０ｆ  透明球体、４０ｈ  気泡、４５  光拡散シート、４５ａ  拡散面、４５ｂ  平滑面、４５ｃ  顔料、４５ｄ  バインダー、４６  光拡散シート、４６ａ  顔料、４６ｂ  基材。
【図１】
0003607281.tif 000002
【図２】
0003607281.tif 000003
【図３】
0003607281.tif 000004
【図４】
0003607281.tif 000005
【図５】
0003607281.tif 000006
【図６】
0003607281.tif 000007
【図７】
0003607281.tif 000008
【図８】
0003607281.tif 000009
【図９】
0003607281.tif 000010
【図１０】
0003607281.tif 000011
【図１１】
0003607281.tif 000012
【図１２】
0003607281.tif 000013
【図１３】
0003607281.tif 000014
【図１４】
0003607281.tif 000015
【図１５】
0003607281.tif 000016
【図１６】
0003607281.tif 000017
【図１７】
0003607281.tif 000018
【図１８】
0003607281.tif 000019
【図１９】
0003607281.tif 000020
【図２０】
0003607281.tif 000021
【図２１】
0003607281.tif 000022
【図２２】
0003607281.tif 000023
【図２３】
0003607281.tif 000024
【図２４】
0003607281.tif 000025
【図２５】
0003607281.tif 000026
【図２６】
0003607281.tif 000027
【図２７】
0003607281.tif 000028
【図２８】
0003607281.tif 000029
【図２９】
0003607281.tif 000030
【図３０】
0003607281.tif 000031
【図３１】
0003607281.tif 000032
【図３２】
0003607281.tif 000033
【図３３】
0003607281.tif 000034
【図３４】
0003607281.tif 000035
【図３５】
0003607281.tif 000036
【図３６】
0003607281.tif 000037
【図３７】
0003607281.tif 000038
【図３８】
0003607281.tif 000039
【図３９】
0003607281.tif 000040
【図４０】
0003607281.tif 000041
【図４１】
0003607281.tif 000042